(57)【要約】【課題】火災の現場等での使用に適した遮水シートを提供する。【解決手段】液晶テレビ（５０）の上にロープ付の遮水シート１０を載置する（Ａ）。次いで、遮水シート（１０）で液晶テレビ（５０）を覆う（Ｂ）。そして、ロープ（２０）を液晶テレビ（５０）の下部で引っ張って、液晶テレビを遮水シート（１０）で密封する（Ｃ）。なお、工事現場において、木材等の雨養生としても利用できる。【選択図】図４
2015067959.tif 000002
【特許請求の範囲】
【請求項１】
防水性および防炎性を有する布帛で構成され、
前記布帛はその外縁部に沿って複数の孔が設けられ、
前記孔には無端のロープが挿通されている、遮水シート。
【請求項２】
前記布帛の外縁部に沿って設けられた複数の孔は、前記布帛にラダー状の複数の孔が設けられた部材が一体化されており、
前記ラダー状の複数の孔が設けられた部材は柔らかい素材で形成されている、請求項１に記載の遮水シート。
【請求項３】
前記ロープは１本のロープの両端部が接続された接続部を有し、前記接続部は突出部を有さない、請求項１または２に記載の遮水シート。
【発明の詳細な説明】
【技術分野】
【０００１】
この発明は遮水シートに関し、特に、防水性及び防炎性を有する遮水シートに関する。
【背景技術】
【０００２】
従来、マンション等における火災の現場等において２階以上の部屋に放水が行われるとき、一般に床面は耐水構造になっていないため、階下の部屋に水が落下する。このとき、階下の部屋の家具等が放水によって水浸しになる。これを避けるために、家具等を、防水性能を有するシートで覆う必要がある。このようなシートは防水または遮水性を有する必要がある。
【０００３】
このような用途に使用可能なシートが例えば、特開２００１−３４９０１３号公報（特許文献１）や特開２００４−１３６４７０号公報（特許文献２）に開示されている。
【０００４】
特許文献１は耐炎繊維から構成され防水層と耐炎層とを有し屋根葺き材として使用可能なシートである。特許文献２は耐火性を備える透湿防水シートである。
【先行技術文献】
【特許文献】
【０００５】
【特許文献１】特開２００１−３４９０１３号公報
【特許文献２】特開２００４−１３６４７０号公報
【発明の概要】
【発明が解決しようとする課題】
【０００６】
従来の遮水シートとして利用可能なシートは上記のように構成されていた。遮水シートとしての性能は優れているが、火災の現場において家具等を放水から守るために家具等を容易に覆うための工夫がされていなかった。そのために、火災の現場等での使用に適さないという問題があった。
【０００７】
この発明は上記のような問題点に鑑みてなされたもので、火災の現場等での使用に適した遮水シートを提供することを目的とする。
【課題を解決するための手段】
【０００８】
この発明に係る遮水シートは、防水性および防炎性を有する布帛で構成され、布帛はその外縁部に沿って複数の孔が設けられ、孔には無端のロープが挿通されている。
【０００９】
好ましくは、布帛の外縁部に沿って設けられた複数の孔は、布帛にラダー状の複数の孔が設けられた部材が一体化されており、ラダー状の複数の孔が設けられた部材は柔らかい素材で形成されている。
【００１０】
ロープは１本のロープの両端部が接続された接続部を有し、接続部は突出部を有さないのが好ましい。
【発明の効果】
【００１１】
この発明に係る遮水シートは防水性および防炎性を有する布帛で構成され、その外縁部に沿った複数の孔には無端のロープが挿通されているため、火災の現場においてシートで物品を覆ってロープを引っ張ることによりシートの外縁部を絞ることができる。したがって、火災の現場で物品を放水から容易に守ることができる。
【００１２】
その結果、火災の現場等での使用に適した遮水シートを提供できる。
【図面の簡単な説明】
【００１３】
【図１】この発明の一実施の形態に係る遮水シートの斜視図である。
【図２】他の遮水シートの例を示す斜視図である。
【図３】図２の遮水シートの端縁にロープを通した状態を示す斜視図である。
【図４】遮水シートでテレビを覆った状態を示す図である。
【図５】この発明の他の実施の形態を示す図である。
【発明を実施するための形態】
【００１４】
以下、この発明の一実施の形態について説明する。図１は、この発明の一実施の形態に係る遮水シートの全体構成を示す斜視図である。
【００１５】
図１を参照して、遮水シート１０は、矩形状の布帛１１と布帛１１の４辺の外周部に設けられた複数の孔１５を有する。布帛１１は編物、織物、織網複合物、又は、不織布で構成され、防水性を有するとともに、火が着いても燃え広がらない防炎性能を有する樹脂で被覆されている。布帛１１はフィルムを含んでもよい。孔１５には無端のロープ（図示省略）が挿通されている。無端のロープは１本のロープの両端部を接続したものであるが、接続部は突出部を有することなく滑らかである。
【００１６】
この布帛に設けられた複数の孔は、布帛の端部において、その織物を構成する複数の糸を所定の間隔を開けるように組織を変えて間隔を開けた孔を構成するようにしてもよい。また、この孔の形状は任意であり、図示のような丸孔でもよいし、角孔でもよい。
【００１７】
次に、複数の孔の他の実施の形態として説明する。図２は他の実施の形態に係る遮水シートを示す図である。ここでは、遮水シートは矩形の布帛と布帛の周囲に設けられたラダー状の開口部とからなる。図２においての（Ａ）は斜視図であり、（Ｂ）は図２（Ａ）において、矢印ＩＩＢ−ＩＩＢで示す部分の断面図であり、（Ｃ）は図２（Ｂ）において矢印Ｃで示した部分の拡大図であり、（Ｄ）は、図２（Ａ）においてＩＩＤ−ＩＩＤで示す部分の拡大図である。
【００１８】
図２を参照して、遮水シート１０は矩形状の布帛１１と、布帛１１の外周の４辺に設けられた、ロープ通し部１２とを含む。ロープ通し部１２はそれぞれがラッセル網、又は編物で編まれた外周紐部１２ａと、外周紐部１２ａに対向した内周紐部１２ｂと、外周紐部１２ａと内周紐部１２ｂとを長手方向において間隔を開けてそれらを接続する接続紐部１２ｃとを含む。ロープ通し部１２は上記のように構成されているため、図２（Ａ）に示すように、ラダー状である。
【００１９】
図２（Ｃ）に示すように、外周紐部１２ａと内周紐部１２ｂと接続紐部１２ｃとはほぼ同じ太さである。
【００２０】
また、図２（Ｃ）において１３で示す、布帛１１の端部下側と接続紐部１２ｃとの間は溶着や縫製で一体化されている。溶着又は縫製部分の詳細を図２（Ｄ）に示す。図２（Ｄ）を参照して、布帛１１はその外周部でラダー状のロープ通し部１２と接続されている。図中、ロープ通し部１２に隣接した二点鎖線で示す部分は布帛の外周部であり、一点鎖線は、布帛のみが存在する部分であり、一点鎖線と二点鎖線との間にある点線は溶着又は縫製部分１３を表す。
【００２１】
なお、布帛１１の耐水性能としては、５〜１００ｋＰａであるのが好ましい。より好ましくは２０〜４５ｋＰａである。更に好ましくは２５〜３５ｋＰａである。
【００２２】
１０ｋＰａ未満になると防水性に乏しく、布帛の被覆内部に漏水することがある。また、１００ｋＰａを超えると、布帛の質量が増して扱い難くなったり、単位面積当たりの質量の小さい布帛の場合は、コスト高になる。
【００２３】
また、防炎性能については、公益財団法人日本防炎協会の防炎物品に適合しなければならない。防炎物品の試験方法は、45°ミクロバーナー法と45°コイル法があり、どちらの試験も評価基準に適合しなければならない。45°ミクロバーナー法による評価基準は、残炎時間(シートに炎が着炎してから消えるまで)3秒以下、残じん時間(シートに炎が着炎し、シートが赤く変色し終えるまで)5秒以下、炎によって生地が炭化した面積が30cm2以下となる。また、45°コイル法では、10cmのシートに炎が接触して消火するまでの回数が3回以上なければならない。
【００２４】
次に、遮水シート１０のロープ通し部１２にロープ２０を通した状態について説明する。図３はこの状態を示す図である。ここでは、ロープ２０を点線で示している。図３に示すように、ロープ２０はラダーを構成する複数の接続紐部１２ｃにおいて、隣接する部分の一方においてその上側を通過したときは、隣接する部分はその下側を通過するように設けられている。したがって、ロープ２０はロープ通し部１２から脱落しない。
【００２５】
また、ロープ２０は、１本のロープの両端部が接続された接続部を有し、接続部は突出部を有さない。すなわち、一見して結び目を有さず、隣接する接続紐部で形成される開口部を滑らかに移動する。したがって、遮水シート１０を物品に覆って、ロープの一部を引っ張ることによって布帛１１の４辺の端縁をロープ２０で容易に絞ることが可能である。
【００２６】
次に、遮水シート１０の使用方法について説明する。図４は遮水シート１０の使用方法を示す図である。図３を参照して、ここでは、遮水シート１０で液晶テレビを覆う場合について説明する。
【００２７】
今、マンションの５階で火災があり、そこに消防車で放水するものとする。このとき、消防隊員はその階下の部屋に行って、その部屋に載置されている物品に水がかからないように遮水シート１０でその物品をカバーする。
【００２８】
まず、図４（Ａ）に示すように液晶テレビ５０の上にロープ付の遮水シート１０を載置する。なおここでは覆われたテレビが見えるように一部を破断した状態を示している。次いで、遮水シート１０で液晶テレビを覆う（Ｂ）。そして、ロープ２０を液晶テレビの下部で引っ張って、液晶テレビを遮水シート１０で封をする（Ｃ）。
【００２９】
なお、ここでは、一方向にロープを引っ張った状態を示しているが、２方向に引っ張ってもよい。
【００３０】
このような処理を行うことによって、階上の部屋に放水が行われても、階下の部屋に載置された液晶テレビ等の物品が水濡れすることはない。
【００３１】
なお、上記実施の形態においては、物品として、液晶テレビを例にあげて説明したが、これに限らず、他の家電製品であってもよいし、タンスやソファやテーブル等の家具や、その他の任意の物品が含まれる。
【００３２】
また、上記実施の形態においては、遮水シートが矩形の場合について説明したが、これに限らず、円形や、方形や、任意の形状であってもよい。
【００３３】
さらに、家電製品や家具等のある程度の大きさのキャップ部分を有する立体形状であってもよい。
【００３４】
次にこの発明の他の実施の形態について説明する。図５は、この発明の他の実施の形態を示す図である。この実施の形態においては、遮水シートを、工事現場に準備された木材等の、雨水等から避けるのが好ましい建設資材の雨養生として使用する。図５（Ａ）を参照して、複数の木材６０を遮水シート３０の上に載置する。ここでは、遮水シートの周囲にあるロープ通しやロープを省略している。図４と同様にして、木材を遮水シートで覆う。このとき、遮水シートで覆ったときの絞ったロープは、上方向に引き出す。この状態を図５（Ｂ）に示す。図５（Ｂ）は、このように遮水シート覆われた木材をその上からさらに遮水シートで覆った状態を示す図である。ここでは、実線３１で上にかぶせられた遮水シート４０の破断部を示している。ここに示すように、中央部の符号３０を付した部分が、先に遮水シートで覆われた部分である。絞ったロープ３５は上方向に位置する。
【００３５】
次に、内部に木材を覆った遮水シート３０を含む遮水シート４０をロープ４５で絞って覆う。このようにすることによって、木材が二重の遮水シートで覆われて雨水の養生が行われる。
【００３６】
なお、ここでは、長手の木材を二重に覆う場合について説明したが、これに限らず、図４に示した家電製品等、任意のものを二重に覆うようにしてもよい。
【００３７】
また、上記実施の形態においては、布帛の外周にロープ通し部を設けた場合について説明したが、これに限らず、布帛よりも柔らかい素材で構成されたラダー状の複数の貫通部を設ければよい。
【００３８】
このような素材を用いることにより、例えばはとめを用いた場合に比較して、
（１）任意の位置でロープを挿通させることができる。
（２）コストダウンが可能になる。
（３）複数の孔を近接して設けることが可能なため、巾着状態を容易に形成できる。
（４）物品に傷がつきにくい。
【００３９】
また、上記実施の形態においては、１枚の遮水シートを用いた場合について説明したが、これに限らず、複数の遮水シートに遮水性のある連結部を設け、それによって、複数の遮水シートが連続した遮水シートを構成してもよい。
【００４０】
なお、上記実施の形態においては、遮水シートが矩形状である場合について説明したが、これに限らず、円形や、多角形であってもよい。
【００４１】
また、遮水シートは、工事現場の隣接敷地内等における、車両の養生に用いてもよい。
【００４２】
図面を参照してこの発明の実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００４３】
この発明に係る遮水シートは、火災の現場等での使用に適しているため、火災時の遮水シートと有利に利用される。
【符号の説明】
【００４４】
１０，３０  遮水シート、１１  布帛、１２  ロープ通し部、１２ａ  外周紐部、１２ｂ  内周紐部、１２ｃ  接続紐部、１５  孔、２０  ロープ。
【図１】
2015067959.tif 000003
【図２】
2015067959.tif 000004
【図３】
2015067959.tif 000005
【図４】
2015067959.tif 000006
【図５】
2015067959.tif 000007
【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
防水性および防炎性を有する布帛で構成され、
前記布帛はその外縁部に沿って複数の孔が設けられ、
前記孔には無端のロープが挿通されており、
前記布帛の外縁部に沿って設けられた複数の孔は、前記布帛にラダー状の複数の孔が設けられた部材が一体化されており、
前記ラダー状の複数の孔が設けられた部材は柔らかい素材で形成され、
前記ラダー状の複数の孔は、前記布帛の外縁部に沿って設けられた外周紐部および内周紐部と、前記外周紐部および内周紐部を接続する接続紐部とで構成され、
前記布帛と前記接続紐部材とが接続されることによって、前記布帛の外縁部に沿って複数の孔が設けられる布帛が形成される、遮水シート。
【請求項２】
前記ロープは１本のロープの両端部が接続された接続部を有し、前記接続部は突出部を有さない、請求項１に記載の遮水シート。